(57)【要約】【課題】  ユーザが希望するコンテンツを容易に探す。【解決手段】  ハードディスクレコーダ１０は、ＨＤ装置２２と、ＯＳＤ５０と、映像出力部３０と、リモコン受信部３４と、制御部３６とを含む。ＨＤ装置２２は、複数のコンテンツ情報、および複数のプレイリスト情報を記録する。ＯＳＤ５０は画像の情報を作成する。映像出力部３０は、ＯＳＤ５０が出力した情報を出力する。リモコン受信部３４は、コンテンツおよびその種類の指定を受付ける。制御部３６は、コンテンツの種類とプレイリスト情報の内容とを表わす画像の情報を作成するようにＯＳＤ５０を制御し、コンテンツの種類の指定が受付けられると指定コンテンツを特定する情報を検索し、その内容を表わす画像を作成するようにＯＳＤ５０を制御し、コンテンツの指定が受付けられた後受付コンテンツを表わす画像を作成するように、ＯＳＤ５０を制御する。【選択図】        図２
2006303893.tif 000002
【特許請求の範囲】
【請求項１】
コンテンツを表わす情報である複数の第１の情報、ならびに前記第１の情報にそれぞれ対応しかつコンテンツの内容および種類を特定する情報である複数の第２の情報を記録するための記録手段と、
画像の情報を作成するための作成手段と、
前記第１の情報の映像および音声のいずれかの有無を表わす形式に対応する複数の前記コンテンツの種類と複数の前記コンテンツの内容とを表わす画像の情報を作成するように、前記作成手段を制御するための第１の制御手段と、
前記作成手段が作成した情報を出力するための出力手段と、
コンテンツの指定および前記コンテンツの種類の指定を受付けるための受付手段と、
前記受付手段がコンテンツの種類の指定を受付けると、前記複数の第２の情報のうち、前記受付手段が指定を受付けた種類と同じ種類のコンテンツである指定コンテンツを特定する情報を検索するための検索手段と、
前記検索手段が検索した情報を用いて、前記指定コンテンツの内容を表わす画像の情報を作成するように、前記作成手段を制御するための第２の制御手段と、
前記受付手段がコンテンツの指定を受付けると、前記複数の第１の情報のうち前記受付手段が指定を受付けたコンテンツである受付コンテンツを表わす情報を用いて、前記受付コンテンツを表わす画像を作成するように、前記作成手段を制御するための第３の制御手段とを含む、コンテンツ再生装置。
【請求項２】
コンテンツを表わす情報である複数の第１の情報、ならびに前記第１の情報にそれぞれ対応しかつコンテンツの内容および種類を特定する情報である複数の第２の情報を記録するための記録手段と、
画像の情報を作成するための作成手段と、
複数の前記コンテンツの種類と複数の前記コンテンツの内容とを表わす画像の情報を作成するように、前記作成手段を制御するための第１の制御手段と、
前記作成手段が作成した情報を出力するための出力手段と、
コンテンツの指定および前記コンテンツの種類の指定を受付けるための受付手段と、
前記受付手段がコンテンツの種類の指定を受付けると、前記複数の第２の情報のうち、前記受付手段が指定を受付けた種類と同じ種類のコンテンツである指定コンテンツを特定する情報を検索するための検索手段と、
前記検索手段が検索した情報を用いて、前記指定コンテンツの内容を表わす画像の情報を作成するように、前記作成手段を制御するための第２の制御手段と、
前記受付手段がコンテンツの指定を受付けると、前記複数の第１の情報のうち前記受付手段が指定を受付けたコンテンツである受付コンテンツを表わす情報を用いて、前記受付コンテンツを表わす画像を作成するように、前記作成手段を制御するための第３の制御手段とを含む、コンテンツ再生装置。
【請求項３】
前記第１の制御手段は、前記第１の情報の形式に対応する複数のコンテンツの種類と前記複数のコンテンツの内容とを表わす画像の情報を作成するように、前記作成手段を制御するための手段を含む、請求項２に記載のコンテンツ再生装置。
【請求項４】
前記作成手段を制御するための手段は、前記第１の情報の映像および音声のいずれかの有無を表わす形式に対応する複数のコンテンツの種類と前記複数のコンテンツの内容とを表わす画像の情報を作成するように、前記作成手段を制御するための手段を含む、請求項３に記載のコンテンツ再生装置。
【請求項５】
前記第１の制御手段は、前記複数のコンテンツの種類をそれぞれアイコンとして表わし、かつ前記複数のコンテンツの内容を表わす画像の情報を作成するように、前記作成手段を制御するための手段を含む、請求項２に記載のコンテンツ再生装置。
【請求項６】
前記作成手段を制御するための手段は、前記複数のコンテンツの種類をそれぞれ前記コンテンツの種類に固有のアイコンとして表わし、かつ前記複数のコンテンツの内容を表わす画像の情報を作成するように、前記作成手段を制御するための手段を含む、請求項５に記載のコンテンツ再生装置。
【請求項７】
前記第１の制御手段は、それぞれ前記第１の情報の形式に対応する複数のコンテンツの種類をアイコンとして表わし、かつ前記複数のコンテンツの内容を表わす画像の情報を作成するように、前記作成手段を制御するための手段を含む、請求項２に記載のコンテンツ再生装置。
【請求項８】
前記作成手段を制御するための手段は、それぞれ前記第１の情報の映像および音声のいずれかの有無を表わす形式に対応する複数のコンテンツの種類を前記コンテンツの種類に固有のアイコンとして表わし、かつ前記複数のコンテンツの内容を表わす画像の情報を作成するように、前記作成手段を制御するための手段を含む、請求項７に記載のコンテンツ再生装置。
【請求項９】
前記受付手段は、ポインタによりコンテンツの指定および前記コンテンツの種類の指定を受付けるための手段を含む、請求項２に記載のコンテンツ再生装置。
【請求項１０】
前記受付手段は、コンテンツの指定および前記コンテンツの種類の指定にそれぞれ対応する情報のいずれかを受付けることにより、コンテンツの指定および前記コンテンツの種類の指定を受付けるための手段を含む、請求項２に記載のコンテンツ再生装置。
【請求項１１】
コンテンツを表わす情報である複数の第１の情報、ならびに前記第１の情報にそれぞれ対応しかつコンテンツの内容および種類を特定する情報である複数の第２の情報を記録する記録ステップと、
画像の情報を作成する作成ステップと、
複数の前記コンテンツの種類と複数の前記コンテンツの内容とを表わす画像の情報を作成するように、前記作成ステップを制御する第１の制御ステップと、
前記作成ステップにおいて作成した情報を出力する出力ステップと、
コンテンツの指定および前記コンテンツの種類の指定を受付ける受付ステップと、
前記受付ステップにおいてコンテンツの種類の指定を受付けると、前記複数の第２の情報のうち、前記受付ステップが指定を受付けた種類と同じ種類のコンテンツである指定コンテンツを特定する情報を検索する検索ステップと、
前記検索ステップにおいて検索した情報を用いて、前記指定コンテンツの内容を表わす画像の情報を作成するように、前記作成ステップを制御する第２の制御ステップと、
前記受付ステップがコンテンツの指定を受付けると、前記複数の第１の情報のうち前記受付ステップにおいて指定を受付けたコンテンツである受付コンテンツを表わす情報を用いて、前記受付コンテンツを表わす画像を作成するように、前記作成ステップを制御する第３の制御ステップとを含む各ステップをコンピュータに実行させるためのコンテンツ再生プログラム。
【請求項１２】
コンテンツ再生プログラムを記録したコンピュータ読取り可能な記録媒体であって、
コンテンツを表わす情報である複数の第１の情報、ならびに前記第１の情報にそれぞれ対応しかつコンテンツの内容および種類を特定する情報である複数の第２の情報を記録する記録ステップと、
画像の情報を作成する作成ステップと、
複数の前記コンテンツの種類と複数の前記コンテンツの内容とを表わす画像の情報を作成するように、前記作成ステップを制御する第１の制御ステップと、
前記作成ステップにおいて作成した情報を出力する出力ステップと、
コンテンツの指定および前記コンテンツの種類の指定を受付ける受付ステップと、
前記受付ステップにおいてコンテンツの種類の指定を受付けると、前記複数の第２の情報のうち、前記受付ステップが指定を受付けた種類と同じ種類のコンテンツである指定コンテンツを特定する情報を検索する検索ステップと、
前記検索ステップにおいて検索した情報を用いて、前記指定コンテンツの内容を表わす画像の情報を作成するように、前記作成ステップを制御する第２の制御ステップと、
前記受付ステップがコンテンツの指定を受付けると、前記複数の第１の情報のうち前記受付ステップにおいて指定を受付けたコンテンツである受付コンテンツを表わす情報を用いて、前記受付コンテンツを表わす画像を作成するように、前記作成ステップを制御する第３の制御ステップとを含む各ステップをコンピュータに実行させるためのコンテンツ再生プログラムを記録したコンピュータ読取り可能な記録媒体。
【発明の詳細な説明】
【技術分野】
【０００１】
本発明は、コンテンツ再生装置、コンテンツ再生プログラム、およびコンテンツ再生プログラムを記録したコンピュータ読取り可能な記録媒体に関し、特に、記録された信号に基づきコンテンツを再生するコンテンツ再生装置、コンテンツ再生プログラム、およびコンテンツ再生プログラムを記録したコンピュータ読取り可能な記録媒体に関する。
【背景技術】
【０００２】
特許文献１は、映像データを記録する記録部を具備し、記録済みデータの削除の可否を設定でき、記録時に記録済みデータを自動的に削除することで空き領域を確保してから記録する映像記録装置を開示する。
【０００３】
特許文献１に開示された発明によると、操作性を向上させることができる。
【０００４】
特許文献２は、放送番組をその記録保持条件にかかるデータと共に記録媒体に記録するハードディスクドライブと、記録される放送番組の記録保持条件を設定し、記録済の記録保持条件にかかるデータをチェックし、ハードディスクドライブに記録されている放送番組のうち記録保持条件から外れた放送番組を消去するマイクロ・プロセッサ・ユニットとを含む番組記録装置を開示する。
【０００５】
特許文献２に開示された発明によると、記録媒体を効率的に使用し、また容量不足による記録の失敗が生じる恐れを低減できる。
【０００６】
特許文献３は、新着判断情報とともに、種別の異なる複数のコンテンツを記録する記録部と、端末装置からの新着情報出力要求に応じて、新着判断情報に基づいて新着情報を生成する中央制御部と、新着情報出力要求した端末装置に、生成された新着情報を出力する通信部とを備えるコンテンツ管理装置を開示する。
【０００７】
特許文献３に開示された発明によると、記録されているコンテンツの新着情報を、フレーム構成情報で表される表示形態で端末装置に表示させることができる。
【０００８】
特許文献４は、記録媒体にデータファイルを記録する際に予め定められたテイク生成条件を満たす１つ以上のデータファイルを自動的にグループ化するグループ設定装置を備えるデータ処理装置を開示する。
【０００９】
特許文献４に開示された発明によると、ユーザに意識させないでデータを自動的にグループ化することにより、記録媒体に格納されているコンテンツを容易に把握できるようにすることができる。
【００１０】
特許文献５は、デジタル信号化された動画信号、動画に同期化して記録される音声信号、およびデジタル信号化された静止画信号を記録し、かつ記録条件を記録するハードディスクと、データ情報と記録時間情報とから成る記録条件を表示するパネルと、表示された記録データを表示画面上で選択するスイッチとを含む記録再生装置を開示する。
【００１１】
特許文献５に開示された発明によると、小型機器での操作性向上を実現することができる。
【００１２】
特許文献６は、データと、データのコンテンツ管理情報とを記録媒体に記録し、または記録媒体から再生する記録再生装置と、任意のデータをファイルシステムとは独立にグループ化させるためのグループ管理情報とコンテンツ管理情報との内容を変更する管理情報処理装置と、データの再生手順を示す制御情報の内容を変更する制御情報処理装置を有し、管理情報処理装置が、制御情報を作成する時、制御情報に対応するグループ管理情報を自動作成し、制御情報にて参照されるデータリストを更新する記録再生装置を開示する。
【００１３】
特許文献６に開示された発明によると、ファイルおよびグループ間の関係が記述でき、アプリケーション間での汎用性が高く、大量のファイルおよびグループ情報の取扱いを容易にすることができる。
【００１４】
特許文献７は、順次入力されるビデオデータをディスク状記録媒体に記録する記録回路と、ビデオデータの記録開始位置の情報に基づいて、ビデオデータの記録開始位置を検出する検出回路と、検出回路による検出結果に基づいて、記録開始位置における少なくとも１フレーム分のビデオデータにより、検索用のファイルを作成する作成回路とを備え、検索用のファイルをディスク情報記録媒体に記録する情報処理装置を開示する。
【００１５】
特許文献７に開示された発明によると、多量のＡＶ（Audio Visual）データを管理する場合でも、所望するファイルを簡易かつ確実に検出することができる。
【特許文献１】特開２００２−３４４８７９号公報
【特許文献２】特開２００３−２８９４９０号公報
【特許文献３】特開２００４−１６５８３６号公報
【特許文献４】特開２００４−１７１０５３号公報
【特許文献５】特開２００４−１８０３４０号公報
【特許文献６】特開２００５−３２３１５号公報
【特許文献７】特開２００３−９１９３９号公報
【発明の開示】
【発明が解決しようとする課題】
【００１６】
しかし、特許文献１〜特許文献７に開示された発明では、記録されたコンテンツが増えるにつれ、ユーザが希望するコンテンツを探すことが困難になるという問題点がある。
【００１７】
本発明は上述の問題点を解決するためになされたものであって、その目的は、ユーザが希望するコンテンツを容易に探すことができるコンテンツ再生装置、コンテンツ再生プログラム、およびコンテンツ再生プログラムを記録したコンピュータ読取り可能な記録媒体を提供することにある。
【課題を解決するための手段】
【００１８】
上記目的を達成するために、本発明のある局面にしたがうと、コンテンツ再生装置は、記録手段と、作成手段と、第１の制御手段と、出力手段と、受付手段と、検索手段と、第２の制御手段と、第３の制御手段とを含む。記録手段は、コンテンツを表わす情報である複数の第１の情報、ならびに第１の情報にそれぞれ対応しかつコンテンツの内容および種類を特定する情報である複数の第２の情報を記録する。作成手段は、画像の情報を作成する。第１の制御手段は、第１の情報の映像および音声のいずれかの有無を表わす形式に対応する複数のコンテンツの種類と複数のコンテンツの内容とを表わす画像の情報を作成するように、作成手段を制御する。出力手段は、作成手段が作成した情報を出力する。受付手段は、コンテンツの指定およびコンテンツの種類の指定を受付ける。検索手段は、受付手段がコンテンツの種類の指定を受付けると、複数の第２の情報のうち、受付手段が指定を受付けた種類と同じ種類のコンテンツである指定コンテンツを特定する情報を検索する。第２の制御手段は、検索手段が検索した情報を用いて、指定コンテンツの内容を表わす画像の情報を作成するように、作成手段を制御する。第３の制御手段は、受付手段がコンテンツの指定を受付けると、複数の第１の情報のうち受付手段が指定を受付けたコンテンツである受付コンテンツを表わす情報を用いて、受付コンテンツを表わす画像を作成するように、作成手段を制御する。
【００１９】
本発明の他の局面にしたがうと、コンテンツ再生装置は、記録手段と、作成手段と、第１の制御手段と、出力手段と、受付手段と、検索手段と、第２の制御手段と、第３の制御手段とを含む。記録手段は、コンテンツを表わす情報である複数の第１の情報、ならびに第１の情報にそれぞれ対応しかつコンテンツの内容および種類を特定する情報である複数の第２の情報を記録する。作成手段は、画像の情報を作成する。第１の制御手段は、複数のコンテンツの種類と複数のコンテンツの内容とを表わす画像の情報を作成するように、作成手段を制御する。出力手段は、作成手段が作成した情報を出力する。受付手段は、コンテンツの指定およびコンテンツの種類の指定を受付ける。検索手段は、受付手段がコンテンツの種類の指定を受付けると、複数の第２の情報のうち、受付手段が指定を受付けた種類と同じ種類のコンテンツである指定コンテンツを特定する情報を検索する。第２の制御手段は、検索手段が検索した情報を用いて、指定コンテンツの内容を表わす画像の情報を作成するように、作成手段を制御する。第３の制御手段は、受付手段がコンテンツの指定を受付けると、複数の第１の情報のうち受付手段が指定を受付けたコンテンツである受付コンテンツを表わす情報を用いて、受付コンテンツを表わす画像を作成するように、作成手段を制御する。
【００２０】
また、上述の第１の制御手段は、第１の情報の形式に対応する複数のコンテンツの種類と複数のコンテンツの内容とを表わす画像の情報を作成するように、作成手段を制御するための手段を含むことが望ましい。
【００２１】
また、上述の作成手段を制御するための手段は、第１の情報の映像および音声のいずれかの有無を表わす形式に対応する複数のコンテンツの種類と複数のコンテンツの内容とを表わす画像の情報を作成するように、作成手段を制御するための手段を含むことが望ましい。
【００２２】
また、上述の第１の制御手段は、複数のコンテンツの種類をそれぞれアイコンとして表わし、かつ複数のコンテンツの内容を表わす画像の情報を作成するように、作成手段を制御するための手段を含むことが望ましい。
【００２３】
また、上述の作成手段を制御するための手段は、複数のコンテンツの種類をそれぞれコンテンツの種類に固有のアイコンとして表わし、かつ複数のコンテンツの内容を表わす画像の情報を作成するように、作成手段を制御するための手段を含むことが望ましい。
【００２４】
また、上述の第１の制御手段は、それぞれ第１の情報の形式に対応する複数のコンテンツの種類をアイコンとして表わし、かつ複数のコンテンツの内容を表わす画像の情報を作成するように、作成手段を制御するための手段を含むことが望ましい。
【００２５】
また、上述の作成手段を制御するための手段は、それぞれ第１の情報の映像および音声のいずれかの有無を表わす形式に対応する複数のコンテンツの種類をコンテンツの種類に固有のアイコンとして表わし、かつ複数のコンテンツの内容を表わす画像の情報を作成するように、作成手段を制御するための手段を含むことが望ましい。
【００２６】
また、上述の受付手段は、ポインタによりコンテンツの指定およびコンテンツの種類の指定を受付けるための手段を含むことが望ましい。
【００２７】
また、上述の受付手段は、コンテンツの指定およびコンテンツの種類の指定にそれぞれ対応する情報のいずれかを受付けることにより、コンテンツの指定およびコンテンツの種類の指定を受付けるための手段を含むことが望ましい。
【００２８】
本発明の他の局面にしたがうと、コンテンツ再生プログラムは、記録ステップと、作成ステップと、第１の制御ステップと、出力ステップと、受付ステップと、検索ステップと、第２の制御ステップと、第３の制御ステップとを含む各ステップをコンピュータに実行させる。記録ステップは、コンテンツを表わす情報である複数の第１の情報、ならびに第１の情報にそれぞれ対応しかつコンテンツの内容および種類を特定する情報である複数の第２の情報を記録する。作成ステップは、画像の情報を作成する。第１の制御ステップは、複数のコンテンツの種類と複数のコンテンツの内容とを表わす画像の情報を作成するように、作成ステップを制御する。出力ステップは、作成ステップにおいて作成した情報を出力する。受付ステップは、コンテンツの指定およびコンテンツの種類の指定を受付ける。検索ステップは、受付ステップにおいてコンテンツの種類の指定を受付けると、複数の第２の情報のうち、受付ステップが指定を受付けた種類と同じ種類のコンテンツである指定コンテンツを特定する情報を検索する。第２の制御ステップは、検索ステップにおいて検索した情報を用いて、指定コンテンツの内容を表わす画像の情報を作成するように、作成ステップを制御する。第３の制御ステップは、受付ステップがコンテンツの指定を受付けると、複数の第１の情報のうち受付ステップにおいて指定を受付けたコンテンツである受付コンテンツを表わす情報を用いて、受付コンテンツを表わす画像を作成するように、作成ステップを制御する。
【００２９】
本発明の他の局面に従うと、記録媒体は、コンテンツ再生プログラムを記録したコンピュータ読取り可能な記録媒体である。記録媒体は、記録ステップと、作成ステップと、第１の制御ステップと、出力ステップと、受付ステップと、検索ステップと、第２の制御ステップと、第３の制御ステップとを含む各ステップをコンピュータに実行させるためのコンテンツ再生プログラムを記録したコンピュータ読取り可能な記録媒体である。記録ステップは、コンテンツを表わす情報である複数の第１の情報、ならびに第１の情報にそれぞれ対応しかつコンテンツの内容および種類を特定する情報である複数の第２の情報を記録する。作成ステップは、画像の情報を作成する。第１の制御ステップは、複数のコンテンツの種類と複数のコンテンツの内容とを表わす画像の情報を作成するように、作成ステップを制御する。出力ステップは、作成ステップにおいて作成した情報を出力する。受付ステップは、コンテンツの指定およびコンテンツの種類の指定を受付ける。検索ステップは、受付ステップにおいてコンテンツの種類の指定を受付けると、複数の第２の情報のうち、受付ステップが指定を受付けた種類と同じ種類のコンテンツである指定コンテンツを特定する情報を検索する。第２の制御ステップは、検索ステップにおいて検索した情報を用いて、指定コンテンツの内容を表わす画像の情報を作成するように、作成ステップを制御する。第３の制御ステップは、受付ステップがコンテンツの指定を受付けると、前記複数の第１の情報のうち前記受付ステップにおいて指定を受付けたコンテンツである受付コンテンツを表わす情報を用いて、前記受付コンテンツを表わす画像を作成するように、前記作成ステップを制御する。
【発明の効果】
【００３０】
本発明に係るコンテンツ再生装置、コンテンツ再生プログラム、およびコンテンツ再生プログラムを記録したコンピュータ読取り可能な記録媒体は、ユーザが希望するコンテンツを容易に探すことができる。
【発明を実施するための最良の形態】
【００３１】
以下、図面を参照しつつ、本発明の実施の形態について説明する。以下の説明では、同一の部品には同一の符号を付してある。それらの名称および機能も同一である。したがって、それらについての詳細な説明は繰返さない。
【００３２】
図１に、本実施の形態にかかるハードディスクレコーダ１０の外観図を示す。本実施の形態にかかるハードディスクレコーダ１０は、２種類のデジタル記録メディア再生装置を内蔵し、記録メディアから再生されたコンテンツなど供給される各種コンテンツを、装置外部に予め接続されたモニタ装置１４に映像信号または音声信号として視聴可能なように出力する装置である。リモコン（リモートコントローラの略）１２は、ユーザが各種の指令を入力するために操作される装置であり、その指令に対応する赤外線信号を発信する。
【００３３】
図２を参照して、本実施の形態にかかるハードディスクレコーダ１０は、ＤＶＤ（Digital Versatile Disc）読取部２０と、ＨＤ（Hard Disk）装置２２と、放送局から送信されるデジタル放送信号を受信する外部のアンテナ６０を接続するチューナ２４と、ＯＳＤ（On Screen Display)５０を内蔵するデコーダ２６と、メモリ２８と、映像出力部３０と、音声出力部３２と、リモコン受信部３４と、制御部３６と、外部からデジタル情報を供給するための外部装置７０を接続する外部Ｉ／Ｆ（Inter Face）３８とを備える。
【００３４】
ＤＶＤ読取部２０は光ディスク（本実施の形態の場合ＤＶＤディスク３００）に記録されたデジタルコンテンツの情報を読出す装置である。本実施の形態の場合、ＤＶＤディスク３００には、任意の情報（本実施の形態の場合、デジタルコンテンツの情報）が記録されている。
【００３５】
ＨＤ装置２２は、コンテンツを表わす情報である複数のコンテンツ情報、ならびにコンテンツ情報にそれぞれ対応しかつコンテンツの内容および種類を特定する情報である複数のプレイリスト情報を、信号としてハードディスク４２に記録し、その記録した信号を読出す装置である。ここで、ハードディスク４２に記録される信号の形式としては、たとえばＭＰＥＧ２（Motion Picture Experts Group 2）規格に準拠する形式やＭＰ３（MPEG-1 Audio Layer3）規格に準拠する形式などが挙げられる。
【００３６】
ＨＤ装置２２は、記録媒体（本実施の形態の場合ハードディスク４２）が記録した番組を構成する情報のいずれかを読出す読出しヘッド４４と、放送信号とチャプタ（放送信号を受信した期間の境界）を表わす情報とを記録媒体に記録する記録ヘッド４６とを含む。
【００３７】
チューナ２４は、アンテナ６０が放送局から発信されるデジタル放送信号を受信すると、制御部３６により指定されるチャンネルの放送信号（デジタルコンテンツの信号）を抽出して出力する。
【００３８】
デコーダ２６は、ＤＶＤ読取部２０により再生されたデジタルコンテンツの信号、ＨＤ装置２２が内蔵するハードディスク４２から読出されたデジタルコンテンツの信号、チューナ２４が抽出したデジタルコンテンツの信号および外部Ｉ／Ｆ３８を介して外部装置７０から入力されたデジタルコンテンツの信号のうちのいずれかが制御部３６の切換制御により与えられると、与えられたそのデジタル信号を受付け、復号（デコード）し、出力する。デコーダ２６が内蔵するＯＳＤ５０は制御部３６により与えられた情報に基づいて画像の情報を作成し、それをモニタ装置１４の画面に可視表示するために映像出力部３０に対して出力する。
【００３９】
メモリ２８には、チューナ２４が受信可能な放送チャンネルが予めチャンネルスキャン（オートスキャン）して取得されて格納され、また、制御部３６の動作プログラムが格納される。メモリ２８には、後述する情報の処理のためのフラグやデータも格納されている。
【００４０】
映像出力部３０は、読出しヘッド４４がハードディスク４２から読出し、かつデコーダ２６が復号した映像データを出力する装置である。映像出力部３０は、映像データをモニタ装置１４が出力可能な映像信号に変換した後、映像信号をモニタ装置１４に対して出力する。
【００４１】
音声出力部３２は、読出しヘッド４４がハードディスク４２から読出し、かつデコーダ２６が復号した音声データを出力する装置である。音声出力部３２は、音声データをモニタ装置１４が出力可能な音声信号に変換した後、音声信号をモニタ装置１４に対して出力する。
【００４２】
リモコン受信部３４は、赤外線を介してリモコン１２から発信される各種の指令信号を受信する。リモコン受信部３４は、受信した指令信号を制御部３６に伝送する。制御部３６は、メモリ２８に格納された動作プログラムに基づいて装置各部の制御を行なう。
【００４３】
図３を参照して、本実施の形態に係るリモコン端末１２００について説明する。図３は、リモコン端末１２００の外観を表わす図である。このリモコン端末１２００は、ディスプレイ１２０２と、移動キー１２０４と、数字ボタン１２０６と、操作ボタン１２０８とを含む。このリモコン端末１２００は、ハードディスクレコーダ１０に信号を送信する装置である。
【００４４】
移動キー１２０４は、カーソルを上に移動させる旨の指示などを受付けるための上カーソルキー１２１２と、カーソルを下に移動させる旨の指示などを受付けるための下カーソルキー１２１４と、カーソルを右に移動させる旨の指示などを受付けるための右カーソルキー１２１６と、カーソルを左に移動させる旨の指示などを受付けるための左カーソルキー１２１８と、ハードディスクレコーダ１０の設定を確定させる旨の指示や、ＤＶＤディスク３００を取出し可能にさせる旨の指示や、コンテンツの再生を停止させる旨の指示を受付けるための確定ボタン１２２０とを含む。
【００４５】
操作ボタン１２０８は、押下される回数に応答してテレビの音量を調整することができる音量ボタン１２２２と、同様に調整可能なチャンネルボタン１２２４と、ＤＶＤディスク３００などへコンテンツを録画できる録画ボタン１２２６とを含む。
【００４６】
図４を参照して、ハードディスクレコーダ１０で実行されるプログラムは、メニューの表示に関し、以下のような制御を実行する。
【００４７】
ステップ１００（以下、ステップをＳと略す。）にて、リモコン受信部３４は、リモコン１２から制御信号を受付ける。制御信号が受付けられると、リモコン受信部３４は、受付けられた信号を、制御部３６が利用できる信号に変換する。信号が変換されると、リモコン受信部３４は、変換された信号を制御部３６に出力する。
【００４８】
Ｓ１０２にて、制御部３６は、リモコン受信部３４が受信した信号がメニュー表示を要求するものか否かを判断する。メニュー表示を要求するものと判断した場合（Ｓ１０２にてＹＥＳ）、処理はＳ１０４へと移される。もしそうでないと（Ｓ１０２にてＮＯ）、処理はＳ１１８へと移される。
【００４９】
Ｓ１０４にて、制御部３６は、ＯＳＤ５０に信号を出力する。ＯＳＤ５０は、メニュー画像を表わす信号を生成する。信号が生成されると、ＯＳＤ５０は、生成された信号を映像出力部３０に出力する。映像出力部３０は、ＯＳＤ５０が出力した信号をモニタ装置１４に出力する。これにより、モニタ装置１４にメニュー画像が表示されることとなる。
【００５０】
Ｓ１０６にて、リモコン受信部３４は、リモコン１２から制御信号を受付ける。受付けられた信号は、変換された後、制御部３６に出力される。
【００５１】
Ｓ１０８にて、制御部３６は、リモコン受信部３４が受付けた制御信号が検索を要求するものか否かを判断する。検索を要求するものと判断した場合（Ｓ１０８にてＹＥＳ）、処理はＳ１１０へと移される。もしそうでないと（Ｓ１０８にてＮＯ）、処理はＳ１１２へと移される。
【００５２】
Ｓ１１０にて、制御部３６などは、検索処理を実施する。この処理は、後述するＳ１３０〜Ｓ１５２の処理に相当する。
【００５３】
Ｓ１１２にて、制御部３６などは、リモコン受信部３４が受信した制御信号に応じた処理を実施する。この処理は一般的な処理なので特に詳しく説明しない。
【００５４】
Ｓ１１８にて、制御部３６などは、制御信号の内容に応じた処理を実施する。この処理は一般的な処理なので特に詳しく説明しない。
【００５５】
図５を参照して、ハードディスクレコーダ１０で実行されるプログラムは、検索に関し、以下のような制御を実行する。
【００５６】
Ｓ１３０にて、制御部３６は、画像の情報を作成するように、ＯＳＤ５０を制御する。作成される情報が表わす画像は、コンテンツのタイトルおよび操作用のアイコンを表わす画像（複数の「コンテンツの種類」と複数のコンテンツの内容とを表わす画像）である。複数の「コンテンツの種類」は、それぞれコンテンツ情報の形式（本実施の形態の場合、「コンテンツ情報の形式」とは、映像および音声のいずれかの有無を表わす形式（たとえば「ＭＰ３」）を意味する）に対応する。ＯＳＤ５０は、画像の情報を作成する。ＯＳＤ５０は、作成した画像の情報を映像出力部３０に出力する。映像出力部３０は、ＯＳＤ５０が出力した情報を信号としてモニタ装置１４に出力する。これにより、モニタ装置１４に、コンテンツのタイトルおよび操作用のアイコンが表示される。
【００５７】
Ｓ１３２にて、リモコン受信部３４は、制御信号を受付ける。これにより、リモコン受信部３４は、コンテンツの指定およびコンテンツの種類の指定を受付けることとなる。制御信号が受付けられると、リモコン受信部３４は、受付けられた信号を制御部３６が利用できる信号に変換する。信号が変換されると、リモコン受信部３４は、変換された信号を制御部３６に出力する。
【００５８】
Ｓ１３４にて、制御部３６は、リモコン受信部３４が出力した信号が、カーソル操作（移動キー１２０４のうち確定ボタン１２０４以外のキーが押されたこと）を表わす信号か否かを判断する。カーソル操作を表わす信号と判断した場合（Ｓ１３４にてＹＥＳ）、処理はＳ１３６へと移される。もしそうでないと（Ｓ１３４にてＮＯ）、処理はＳ１３８へと移される。
【００５９】
Ｓ１３６にて、制御部３６は、リモコン受信部３４が受信した信号の内容に応じて、モニタ装置１４に表示されるポインタの座標の値を更新する。座標の値が更新されると、制御部３６は、ＯＳＤ５０に信号を出力する。ＯＳＤ５０は、更新されたポインタの座標に基づき、コンテンツのタイトルおよび操作用のアイコンの画像を生成する。画像が生成されると、ＯＳＤ５０は、生成された画像のデータを映像出力部３０に出力する。映像出力部３０は、ＯＳＤ５０が出力した信号をモニタ装置１４に出力する。
【００６０】
Ｓ１３８にて、制御部３６は、リモコン受信部３４が出力した信号が確定ボタン１２２０が押された旨を表わす信号か否かを判断する。確定ボタン１２２０が押された旨を表わす信号と判断した場合には（Ｓ１３８にてＹＥＳ）、処理はＳ１４０へと移される。もしそうでないと（Ｓ１３８にてＮＯ）、処理はＳ１４２へと移される。この場合、リモコン受信部３４により受付けられる制御信号は、コンテンツの指定およびコンテンツの種類の指定にそれぞれ対応する情報のいずれかを表わすこととなる。Ｓ１４０にて、制御部３６は、ポインタの座標を参照することにより、ユーザが指定した検索条件を解析する。
【００６１】
Ｓ１４２にて、制御部３６は、メモリ２８に記憶された検索条件の内容を更新する。たとえば、メモリ２８に保護ファイル（保護ファイルすなわち誤って削除されないように保護されたファイル）を検索する旨の検索条件が記憶されている状態でユーザが指定した検索条件が「ＭＰ３」すなわち拡張子がＭＰ３のファイルを検索する旨の条件であった場合、メモリ２８に保護ファイルであって拡張子がＭＰ３のファイルを検索する旨の検索条件を記憶させる。ただし論理和フラグ（本実施の形態の場合、論理和フラグは制御部３６が自ら記憶する）の値が「１」の場合（論理和フラグの値は、Ｓ１４０にて解析された検索条件が「ＯＲ」であった場合、制御部３６により順次「０」と「１」との間で入替えられる）、検索条件はそれまでにメモリ２８に記憶されていた条件と新たに指定された条件との論理和となる。また、ユーザが指定した検索条件が「ＯＲ」であった場合、メモリ２８に記憶された検索条件の内容は更新されない。
【００６２】
Ｓ１４４にて、制御部３６は、メモリ２８に記憶された検索条件をキーとして、ＨＤ装置２２のハードディスク４２が記録した複数のプレイリスト情報の中から、次の条件を満たす情報を検索する。「次の条件」とは、ファイル名に検索条件として指定された拡張子を含むという条件である。これにより、制御部３６は、リモコン受信部３４がコンテンツの種類の指定を受付けると、複数のプレイリスト情報のうち、指定コンテンツ（リモコン受信部３４が指定を受付けた種類と同じ種類のコンテンツ）を特定する情報を検索することとなる。
【００６３】
Ｓ１４６にて、制御部３６は、制御部３６自身が検索した情報を用いて、指定コンテンツの内容を表わす画像の情報を作成するように、ＯＳＤ５０を制御する。ＯＳＤ５０は、指定コンテンツのタイトルなどを表わす画像の情報を作成する。ＯＳＤ５０は自らが作成した画像データを映像出力部３０に出力する。映像出力部３０は、ＯＳＤ５０が出力した信号をモニタ装置１４に出力する。これにより、制御部３６が検索したタイトルなどが表示される。
【００６４】
Ｓ１４８にて、制御部３６は、移動キー１２０４のいずれかのキーが押されたことにより、検索条件が確定したか否かを判断する。検索条件が確定したと判断した場合（Ｓ１４８にてＹＥＳ）、処理はＳ１５０へと移される。もしそうでないと（Ｓ１４８にてＮＯ）、処理はＳ１３２へと移される。
【００６５】
Ｓ１５０にて、制御部３６は、ＯＳＤ５０に信号を出力することにより、ＯＳＤ５０にコンテンツのタイトル、検索条件、および操作用のアイコンを表示させる。
【００６６】
Ｓ１５２にて、制御部３６などは、ファイルの取扱い処理を実施する。この処理は後述するＳ１６０〜Ｓ１７８の処理に相当する。
【００６７】
図６を参照して、ハードディスクレコーダ１０で実行されるプログラムは、ファイルの取扱いに関し、以下のような制御を実行する。
【００６８】
Ｓ１６０にて、リモコン受信部３４は、リモコン１２から制御信号を受付ける。制御信号が受付けられると、リモコン受信部３４は、受付けられた制御信号を制御部３６が利用できる信号に変換する。信号が変換されると、リモコン受信部３４は、変換された信号を制御部３６に出力する。
【００６９】
Ｓ１６２にて、制御部３６は、リモコン受信部３４が出力した信号がカーソルの操作を表わす信号か否かを判断する。カーソルの操作を表わす信号と判断した場合（Ｓ１６２にてＹＥＳ）、処理はＳ１６４へと移される。もしそうでないと（Ｓ１６２にてＮＯ）、処理はＳ１６６へと移される。
【００７０】
Ｓ１６４にて、制御部３６は、メモリ２８が記憶したポインタの座標を更新する。
【００７１】
Ｓ１６６にて、制御部３６は、リモコン受信部３４が出力した信号が確定ボタン１２２０が押された旨の信号か否かを判断する。確定ボタン１２２０が押された旨の信号と判断した場合には（Ｓ１６６にてＹＥＳ）、処理はＳ１６８へと移される。もしそうでないと（Ｓ１６８にてＮＯ）、処理はＳ１７０へと移される。Ｓ１６８にて、制御部３６は、メモリ２８が記憶したポインタの座標を参照することにより、ユーザが指定した操作条件を解析する。
【００７２】
Ｓ１７０にて、制御部３６は、操作条件がすべて指定されたか否かを判断する。本実施の形態の場合、どのコンテンツに対する操作を実施するかという条件と、どのような操作をするかという条件とが指定されなくてはならない。操作条件がすべて指定されたと判断した場合（Ｓ１７０にてＹＥＳ）、処理はＳ１７２へと移される。もしそうでないと（Ｓ１７０にてＮＯ）、処理はＳ１６０へと移される。
【００７３】
Ｓ１７２にて、制御部３６は、操作条件の指定に誤りがあるか否かを判断する。操作条件の指定に誤りがあると判断した場合（Ｓ１７２にてＹＥＳ）、処理はＳ１６０へと移される。もしそうでないと（Ｓ１７２にてＮＯ）、処理はＳ１７４へと移される。
【００７４】
Ｓ１７４にて、制御部３６は、操作条件が並替えを指示するものか否かを判断する。並替えを指示するものと判断した場合（Ｓ１７４にてＹＥＳ）、処理はＳ１７６へと移される。もしそうでないと（Ｓ１７４にてＮＯ）、処理はＳ１７８へと移される。Ｓ１７６にて、制御部３６などは、並替え処理を実施する。この処理は後述するＳ１８０〜Ｓ１５２の処理に相当する。
【００７５】
Ｓ１７８にて、制御部３６などは、操作条件に応じた処理を実施する。操作条件が予め指定されたコンテンツを表示または再生することを意味する場合、制御部３６などは、そのコンテンツを表示または再生させる。これにより、制御部３６は、リモコン受信部３４がコンテンツの指定を受付けると、複数のコンテンツ情報のうち受付コンテンツ（リモコン受信部３４が指定を受付けたコンテンツ）を表わす情報を用いて、受付コンテンツを表わす画像を作成するように、ＯＳＤ５０を制御することとなる。操作条件が予め指定されたコンテンツを複写することを意味する場合、制御部３６などは、別途受付けた複写先に、そのコンテンツのコンテンツ情報およびプレイリスト情報を複写する。操作条件が予め指定されたコンテンツを削除することを意味する場合、制御部３６などは、そのコンテンツのコンテンツ情報およびプレイリスト情報を削除する。
【００７６】
図７を参照して、ハードディスクレコーダ１０で実行されるプログラムは、並替えに関し、以下のような制御を実行する。
【００７７】
Ｓ１８０にて、制御部３６は、ＯＳＤ５０に信号を出力することにより、コンテンツのタイトルおよび操作用のアイコンを表わす画像の画像データを生成させる。画像データが生成されると、ＯＳＤ５０は、生成されたデータを映像出力部３０に出力する。映像出力部３０は、ＯＳＤ５０が出力した信号をモニタ装置１４に出力する。これにより、コンテンツのタイトルおよび操作用のアイコンが表示されることとなる。
【００７８】
Ｓ１８２にて、リモコン受信部３４は、リモコン１２から制御信号を受付ける。制御信号が受付けられると、リモコン受信部３４は、受付けられた信号を制御部３６が利用できる信号に変換する。信号が変換されると、リモコン受信部３４は、変換された信号を制御部３６に出力する。
【００７９】
Ｓ１８４にて、制御部３６は、リモコン受信部３４が出力した信号が、カーソルの操作を表わす旨の信号か否かを判断する。カーソルの操作を表わす旨の信号と判断した場合には（Ｓ１８４にてＹＥＳ）、処理はＳ１８６へと移される。もしそうでないと（Ｓ１８４にてＮＯ）、処理はＳ１８８へと移される。
【００８０】
Ｓ１８６にて、制御部３６は、メモリ２８に記憶されたポインタの座標を更新する。
【００８１】
Ｓ１８８にて、制御部３６は、リモコン受信部３４が出力した信号が確定ボタン１２２０が押された旨の信号か否かを判断する。確定ボタン１２２０が押された旨の信号と判断した場合には（Ｓ１８８にてＹＥＳ）、処理はＳ１９０へと移される。もしそうでないと（Ｓ１８８にてＮＯ）、処理はＳ１９２へと移される。
【００８２】
Ｓ１９０にて、制御部３６は、メモリ２８が記憶したポインタの座標を参照することにより、ユーザが指定した並替え条件を解析する。
【００８３】
Ｓ１９２にて、制御部３６は、ユーザが指定した並替え条件の指定に誤りがあるか否かを判断する。並替え条件の指定に誤りがあると判断した場合（Ｓ１９２にてＹＥＳ）、処理はＳ１８２へと移される。もしそうでないと（Ｓ１９２にてＮＯ）、処理はＳ１９４へと移される。
【００８４】
Ｓ１９４にて、制御部３６は、並替え条件に応じて、ＨＤ装置２２のハードディスク４２が記録したファイルの順序を決定する。Ｓ１９６にて、制御部３６は、ＯＳＤ５０に信号を出力することにより、自らが決定した順序でタイトルなどを表示する画像の画像データを表示させる。ＯＳＤ５０は、生成した画像の画像データを映像出力部３０に出力する。映像出力部３０は、ＯＳＤ５０が出力した信号をモニタ装置１４に出力する。これにより、制御部３６が決定した順にタイトルなどが表示されることとなる。
【００８５】
以上のような構造およびフローチャートに基づく、ハードディスクレコーダ１０の動作について説明する。
【００８６】
［検索処理を実施する場合］
図８は、ユーザがリモコン１２のキーを操作することにより、モニタ装置１４に表示される画像の内容がどのように変化するかを表わす図である。
【００８７】
リモコン受信部３４は、リモコン１２から制御信号を受付ける（Ｓ１００）。制御信号が受付けられると、制御部３６は、リモコン受信部３４が出力した信号がメニュー表示を要求するものか否かを判断する（Ｓ１０２）。この場合、制御信号がメニュー表示を要求するのと判断した場合（Ｓ１０２にてＹＥＳ）、制御部３６は、ＯＳＤ５０、映像出力部３０、およびモニタ装置１４にメニュー画像を表示させる（Ｓ１０４）。図８の「メニュー表示」はこのことを表わす。図９は、このときモニタ装置１４に表示されるメニュー画像の内容を表わす図である。
【００８８】
メニュー画像が表示されると、リモコン受信部３４は、制御信号を受付ける（Ｓ１０６）。制御信号が受付けられると、制御部３６は、制御信号が検索を要求するものか否かを判断する（Ｓ１０８）。この場合通知ボタン１２０６のうち「５」（コンテンツ検索）が押された旨の信号が送信されたとすると（Ｓ１０８にてＹＥＳ）、制御部３６は、ＯＳＤ５０などにコンテンツのタイトルおよび操作用のアイコンの画像を表示させる（Ｓ１３０）。これにより、制御部３６は、それぞれコンテンツ情報の映像および音声のいずれかの有無を表わす形式に対応する複数のコンテンツの種類をその種類に固有のアイコンとして表わし、かつ複数のコンテンツの内容を表わす、画像の情報を作成するように、ＯＳＤ５０を制御することとなる。図８の「タイトル名などを表示」はこのことを表わす。図１０は、このときモニタ装置１４に表示されたタイトル名などの画像を表わす図である。
【００８９】
タイトルなどが表示されると、リモコン受信部３４は、コンテンツの指定およびコンテンツの種類の指定にそれぞれ対応する情報のいずれかを表わす、制御信号を受付ける（Ｓ１３２）。制御信号が受付けられると、制御部３６は、受付けられた制御信号がカーソル操作を表わす信号か否かを判断する（Ｓ１３４）。この場合、確定ボタン１２２０が押されたこととすると（Ｓ１３４にてＮＯ）、制御部３６は、制御信号が、確定ボタン１２２０が押された旨の信号か否かを判断する（Ｓ１３８）。この場合、確定ボタン１２２０が押された旨の信号なので（Ｓ１３８にてＹＥＳ）、制御部３６は、ユーザにより指定された検索条件を解析する（Ｓ１４０）。図１０において、カーソルは「１」（保護ファイル）を検索する旨のアイコンの位置にあるので、制御部３６は、ユーザにより、保護されたファイルを検索する旨の条件が指定されたと判断する。
【００９０】
検索条件が解析されると、制御部３６は、検索条件を更新する（Ｓ１４２）。検索条件が更新されると、制御部３６は、ＨＤ装置２２のハードディスク４２が記録したファイルの中から、ファイル名の中に検索条件に応じた拡張子を含むファイルのタイトルなどを検索する（Ｓ１４４）。タイトルなどが検索されると、制御部３６は、制御部３６自身が検索した情報を用いて、指定コンテンツの内容を表わす画像の情報を作成するように、ＯＳＤ５０を制御する（Ｓ１４６）。図８の「検索結果（１）」はこのことを表わす。図１１は、このときモニタ装置１４に表示される画面の内容を表わす。
【００９１】
タイトルなどが表示されると、制御部３６は、検索条件が確定したか否かを判断する（Ｓ１４８）。この場合、検索条件は確定していないので（Ｓ１４８にてＮＯ）、Ｓ１３２の処理を経て、制御部３６は、リモコン受信部３４が出力した信号がカーソルの操作を表わす信号か否かを判断する（Ｓ１３４）。この場合、移動キー１２０４が操作された旨の信号を受信したとすると（Ｓ１３４にてＹＥＳ）、制御部３６は、ポインタの座標を更新する（Ｓ１３６）。これにより、リモコン受信部３４は、ポインタによりコンテンツの指定およびコンテンツの種類の指定を受付けることとなる。座標が更新されると、Ｓ１３２〜Ｓ１３６の処理が繰返されることとする。その結果、モニタ装置１４におけるポインタの位置が「ＭＰ３」（拡張子が「ＭＰ３」であるファイル）に移動した後、確定ボタン１２２０が押されたとすると、制御部３６はリモコン受信部３４が出力した信号がカーソル操作を表わす信号ではないと判断した後（Ｓ１３４にてＮＯ）、確定ボタン１２２０が押された旨の信号であると判断するので（Ｓ１３８にてＹＥＳ）、検索条件を解析する（Ｓ１４０）。検索条件が解析されると、制御部３６は、検索条件を更新する（Ｓ１４２）。検索条件が更新されると、制御部３６は、ファイルの中に検索条件に応じた拡張子（この場合「ＭＰ３」）を含むファイルのタイトルなどを検索する（Ｓ１４４）。タイトルなどが検索されると、制御部３６は、制御部３６自身が検索した情報を用いて、指定コンテンツの内容を表わす画像の情報を作成するように、ＯＳＤ５０を制御する（Ｓ１４６）。図８における「検索結果（２）」はこのことを表わす。図１２は、このときモニタ装置１４に表示される画像の内容を表わす図である。
【００９２】
タイトルなどが表示されると、Ｓ１４８〜Ｓ１３６の処理が繰返される。その後、カーソルが「ＯＲ／確定」にあるとき確定ボタン１２２０が押され（Ｓ１３４にてＮＯ）、Ｓ１３２〜Ｓ１４８の処理が一度繰返された後、カーソルが「ＭＰＧ」（拡張子が「ＭＰＧ」であるファイルを検索する旨）にあるとき確定ボタン１２２０が押されると（Ｓ１３４にてＮＯ）、Ｓ１３８〜Ｓ１４４の処理を経て、モニタ装置１４に拡張子が「ＭＰＧ」または「ＭＰ３」であるファイルのタイトルなどが表示される（Ｓ１４６）。図８における「検索結果（３）」はこのことを表わす。図１３は、このときモニタ装置１４に表示される画像の内容を表わす図である。
【００９３】
タイトルが表示されると、制御部３６は、検索条件が確定したか否かを判断する（Ｓ１４８）。この時点ではまだ検索条件が確定していないので（Ｓ１４８にてＮＯ）、Ｓ１３２〜Ｓ１３６の処理が繰返される。最終的に、検索条件が確定すると（Ｓ１４８にてＹＥＳ）、制御部３６は、ＯＳＤ５０などにコンテンツのタイトル、検索条件、および操作用のアイコンを表示させる（Ｓ１５０）。図８における「操作表示」はこのことを表わす。図１４は、このときモニタ装置１４に表示される画像の内容を表わす図である。画像が表示されると、リモコン受信部３４は、制御信号を受付ける（Ｓ１６０）。制御信号が受付けられると、制御部３６は、リモコン受信部３４が出力した信号がカーソルの操作を表わす信号か否かを判断する（Ｓ１６２）。この場合、カーソルの操作を表わす信号とすると（Ｓ１６２にてＹＥＳ）、制御部３６は、メモリ２８が記憶したポインタの座標を更新する（Ｓ１６４）。ポインタの座標が更新されると、Ｓ１６０〜Ｓ１６４の処理が繰返される。図１５は、このときモニタ装置１４に表示される画像の内容を表わす図である。最終的に、表示／再生のアイコン上で確定ボタン１２２０が押されるので（Ｓ１６２にてＮＯ）、Ｓ１６６〜Ｓ１６８の処理を経て、制御部３６は、操作条件がすべて指定されたか否かを判断する（Ｓ１７０）。この場合、操作条件がすべて指定されたとすると（Ｓ１７０にてＹＥＳ）、制御部３６は、操作条件の指定に誤りがあるか否かを判断する（Ｓ１７２）。図１６は、このときモニタ装置１４に表示される画像の内容を表わす図である。この場合、操作条件の指定に誤りはないので（Ｓ１７２にてＮＯ）、制御部３６は、操作条件が並替えを指示するものか否かを判断する（Ｓ１７４）。この場合、操作条件が並替えを指示するものではないので（Ｓ１７４にてＮＯ）、制御部３６は、ＯＳＤ５０などに、操作条件に応じた処理を実施させる（Ｓ１７８）。図８の「再生」はこのことを表わす。
【００９４】
［並べ処理を実施する場合］
Ｓ１００〜Ｓ１７２の処理を経て、制御部３６は、操作条件が並替えを指示するものか否かを判断する（Ｓ１７４）。この場合、操作条件が並替えを指示するものなので（Ｓ１７４にてＹＥＳ）、制御部３６は、ＯＳＤ５０などにコンテンツのタイトルおよび操作用のアイコンの表示をさせる（Ｓ１８０）。図１７の「タイトル名など表示」はこのことを表わす。図１８は、このときモニタ装置１４が表示する画像の内容を表わす。
【００９５】
アイコンなどが表示されると、リモコン受信部３４は、制御信号を受付ける（Ｓ１７２）。制御信号が受付けられると、制御部３６は、リモコン受信部３４が出力した信号がカーソルの操作を表わす旨の信号か否かを判断する（Ｓ１８４）。カーソルの操作を表わす信号と判断すると（Ｓ１８４にてＹＥＳ）、制御部３６は、ポインタの座標を更新する（Ｓ１８６）。ポインタの座標が更新されると、Ｓ１８２〜Ｓ１８６の処理が繰返される。最終的に、ポインタが「放送局」のアイコンにあるとき、確定ボタン１２２０が押されると（Ｓ１８４にてＮＯ）、制御部３６は、リモコン受信部３４が出力した制御信号が、確定ボタン１２２０が押された旨を表わす信号か否かを判断する（Ｓ１８８）。この場合、制御信号は確定ボタン１２２０が押された旨を表わすので（Ｓ１８８にてＹＥＳ）、制御部３６は、指定された並替え条件を解析する（Ｓ１９０）。並替え条件が解析されると、制御部３６は、並替え条件の指定に誤りがあるか否かを判断する（Ｓ１９２）。この場合、並替え条件の指定に誤りがないとすると（Ｓ１９２にてＮＯ）、制御部３６は、ファイルの順序を決定する（Ｓ１９４）。ファイルの順序が決定されると、制御部３６は、ＯＳＤ５０などに自ら決定した順にタイトルなどを表示させる（Ｓ１９６）。図１７の「並替え結果」はこのことを表わす。
【００９６】
タイトルなどが表示されると、Ｓ１６０〜Ｓ１６６の処理を経て、制御部３６は、指定された操作条件を解析する（Ｓ１６８）。操作条件が解析されると、制御部３６は、操作条件がすべて指定されたか否かを判断する（Ｓ１７０）。図１９は、このときモニタ装置１４に表示される画像の内容を表わす図である。この場合、操作条件がすべて指定されたこととすると（Ｓ１７０にてＹＥＳ）、Ｓ１７２の処理を経て、制御部３６などは操作条件に応じた処理を実施する（Ｓ１７８）。
【００９７】
以上のようにして、本実施の形態に係るハードディスクレコーダは、アイコンを選択し、かつ確定ボタンを押すことにより、ユーザが希望するファイルを検索することができる。近年、ハードディスクレコーダなどに搭載される記録装置の記録容量は増大し続けている。記録装置の記録容量が増大するにつれ、ユーザがコンテンツを検索する作業は困難になっている。本実施の形態に係るハードディスクレコーダは、ユーザが所望するコンテンツを、Windows（登録商標）におけるファイルの検索以上に素早く検索できる。記録装置に記録されるファイルの形式が限られ、ファイル形式を検索キーとし（従来はファイル名が検索キーとされていた）、かつアイコン（もしくはアイコンに対応する数字ボタンであってもよい）を操作するので、ユーザが所望すると思われるファイルを効率よく限定できるためである。記録装置に記録されるファイルの形式が限られるのは、記録装置に記録されるファイルが、主としてコンテンツを表わす情報（すなわち映像および音声のいずれかを表す情報）およびコンテンツを特定する情報であるからである。これにより、ユーザは、ごく簡単な操作により、自らが希望するファイルを容易に検索することができる。その結果、使い勝手がよいハードディスクレコーダを提供することができる。
【００９８】
なお、ハードディスクレコーダ１０は、コンピュータハードウェア（このコンピュータハードウェアは、チューナ２４およびリモコン受信部３４が搭載され、かつアンテナ６０に接続できることとする）と制御部３６により実行されるソフトウェアとにより実現されてもよい。一般的にこうしたソフトウェアは、ＤＶＤディスク３００などの記録媒体に格納されて流通し、ＤＶＤ読取部２０などにより記録媒体から読取られ、メモリ２８に一旦格納される。さらに上述した制御部３６により実行される。チューナおよびリモコン受信部が搭載され、かつアンテナに接続できるコンピュータハードウェア自体は一般的なものである。したがって、この場合、発明の最も本質的な部分はＤＶＤディスク３００などの記録媒体に記録されたソフトウェアである。なお、コンピュータ自体の動作は周知であるので、ここではその詳細な説明は繰返さない。
【００９９】
また、Ｓ１３０にて、「コンテンツの種類」が対応するコンテンツ情報の形式は、映像および音声のいずれかの有無を表わす形式に限定されない。映像および音声のいずれかの有無を表わす形式以外のコンテンツ情報の形式の例として、ジャンル（たとえばニュース、ドラマ、音楽番組、お笑い）がある。これにより、制御部３６は、コンテンツ情報の形式に対応する複数のコンテンツの種類と複数のコンテンツの内容とを表わす画像の情報を作成するように、ＯＳＤ５０を制御することとなる。
【０１００】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１０１】
【図１】本発明の実施の形態に係るハードディスクレコーダの外観図である。
【図２】本発明の実施の形態に係るハードディスクレコーダの制御ブロック図である。
【図３】本発明の実施の形態に係るリモコンの外観図である。
【図４】本発明の実施の形態に係るメニュー表示処理の制御の手順を示すフローチャートである。
【図５】本発明の実施の形態に係る検索処理の制御の手順を示すフローチャートである。
【図６】本発明の実施の形態に係るファイルの取扱い処理の制御の手順を示すフローチャートである。
【図７】本発明の実施の形態に係る並替え処理の制御の手順を示すフローチャートである。
【図８】本発明の実施の形態に係るユーザのキー操作の手順を表わす概念図である。
【図９】本発明の実施の形態に係るメニュー画像の内容を表わす図である。
【図１０】本発明の実施の形態に係るタイトルなどを表示した画像を表わす図である。
【図１１】本発明の実施の形態に係る第１回目の検索の結果の図である。
【図１２】本発明の実施の形態に係る第２回目の検索の結果の画像を表わす図である。
【図１３】本発明の実施の形態に係る第３回目の検索の結果の画像を表わす図である。
【図１４】本発明の実施の形態に係る操作のための第１の画面を表わす図である。
【図１５】本発明の実施の形態に係る操作のための第２の画面を表わす図である。
【図１６】本発明の実施の形態に係る操作のための第３の画面を表わす図である。
【図１７】本発明の実施の形態に係る並替え処理の手順を表わす概念図である。
【図１８】本発明の実施の形態に係るタイトルなどを表わす画像の図である。
【図１９】本発明の実施の形態に係る並替え処理の結果を表わす画面の図である。
【符号の説明】
【０１０２】
１０  ハードディスクレコーダ、１２  リモコン、１４  モニタ装置、２０  ＤＶＤ読取部、２２  ＨＤ装置、２４  チューナ、２６  デコーダ、２８  メモリ、３０  映像出力部、３２  音声出力部、３４  リモコン受信部、３６  制御部、３８  外部Ｉ／Ｆ、４２  ハードディスク、４４  読出しヘッド、４６  記録ヘッド、５０  ＯＳＤ、６０  アンテナ、７０  外部装置、１２００  リモコン端末、１２０２  ディスプレイ、１２０４  移動キー、１２０６  数字ボタン、１２０８  操作ボタン、１２１２  上カーソルキー、１２１４  下カーソルキー、１２１６  右カーソルキー、１２１８  左カーソルキー、１２２０  確定ボタン、１２２２  音量ボタン、１２２４  チャンネルボタン、１２２６  録画ボタン。
【図１】
2006303893.tif 000003
【図２】
2006303893.tif 000004
【図３】
2006303893.tif 000005
【図４】
2006303893.tif 000006
【図５】
2006303893.tif 000007
【図６】
2006303893.tif 000008
【図７】
2006303893.tif 000009
【図８】
2006303893.tif 000010
【図９】
2006303893.tif 000011
【図１０】
2006303893.tif 000012
【図１１】
2006303893.tif 000013
【図１２】
2006303893.tif 000014
【図１３】
2006303893.tif 000015
【図１４】
2006303893.tif 000016
【図１５】
2006303893.tif 000017
【図１６】
2006303893.tif 000018
【図１７】
2006303893.tif 000019
【図１８】
2006303893.tif 000020
【図１９】
2006303893.tif 000021